(57)【要約】      （修正有）【課題】異なる使用者の要求に応じて、運動軌跡を変化可能な腿部トレーニング装置を提供する。【解決手段】第一基台は、第一本体１１、第一枢接部１２及び第一回転軸を備える。第一本体１１は、第一収納空間、配置溝及び第一連接部１６を有する。第一枢接部１２は、第一回転軸が第一本体１１の第一収納空間の両側に枢接することによって、第一本体１１に対して、回転可能である。第一連接部１６は、第一収納溝１６１を有する。第一収納溝１６１は、中央に貫通孔を有する。ねじ山は、貫通孔の内壁に加工されている。位置決め溝１７は、配置溝の側壁に設置されている。また、第一本体１１は、頂面に配置溝に繋がる通り穴１８を有する。第一収納空間は、二つの係止溝を有する。【選択図】図２
0003191485.tif 000002
【実用新案登録請求の範囲】
【請求項１】
並列に配置されており、水平方向に開閉可能に互いに枢接されている第一基台及び第二基台と、
前記第一基台に設けられており、前記第一基台とは反対側に水平に延びる軌道を有する第一スライドレールと、
前記第二基台に設けられており、前記第二基台とは反対側に水平に延びる軌道を有する第二スライドレールと、
前記第一スライドレールに設置されており、前記第一スライドレールに沿って滑動可能である第一ペダルアセンブリと、
前記第二スライドレールに設置されており、前記第二スライドレールに沿って滑動可能である第二ペダルアセンブリと、
前記第一ペダルアセンブリと前記第一基台との間、及び、前記第二ペダルアセンブリと前記第二基台との間を連接し、前記第一ペダルアセンブリまたは前記第二ペダルアセンブリが前記第一スライドレールまたは前記第二スライドレールを前記第一基台または前記第二基台とは反対側に滑動する時、前記第一基台または前記第二基台側への回復力を生じることが可能な二つの弾性リングと、を備える大腿トレーニング装置。
【請求項２】
前記第一支持座及び前記第二支持座は、
前記第一支持座の一端に設置されている第一連接部、
前記第二支持座の一端に設置されており、前記第一連接部と嵌合可能な第二連接部、および、
前記第一連接部及び前記第二連接部を締緩可能であり、前記第一連接部及び前記第二連接部を中心として前記第一支持座と前記第二支持座との間の角度が０〜１８０度となるよう前記第一支持座および前記第二支持座を固定することが可能なロック装置、を有することを特徴とする請求項１に記載の大腿トレーニング装置。
【請求項３】
位置決め装置をさらに備え
前記位置決め装置は、前記第一基台に設置されており、位置決め部材とボタンから構成されており、
前記位置決め部材は、留め具及び連動部を有し、
前記ボタンは、前記連動部に連接されており、
前記位置決め部材の前記留め具は、前記ボタンが押圧されることによって、動かされ、上下に運動し、前記第二基台に結合するまたは前記第二基台から脱離することを特徴とする請求項２に記載の大腿トレーニング装置。
【請求項４】
前記位置決め部材の前記留め具は、前記第一基台と前記第二基台との間の角度が０度である時、前記第二基台と結合し、前記第一基台と前記第二基台を結合させることを特徴とする請求項３に記載の大腿トレーニング装置。
【請求項５】
前記第一ペダルアセンブリ及び前記第二ペダルアセンブリは、底部に複数のローラーを有し、複数の前記ローラーにより、前記第一スライドレールまたは前記第二スライドレールの上を滑走滑動可能であることを特徴とする請求項１に記載の大腿トレーニング装置。
【請求項６】
前記第一スライドレール及び第二スライドレールは、前記第一ペダルアセンブリまたは前記第二ペダルアセンブリの滑動範囲を制限する複数の当接部材が底部に設けられていることを特徴とする請求項１に記載の大腿トレーニング装置。
【請求項７】
前記当接部材は、所定の厚さを有する滑りとめマットであることを特徴とする請求項６に記載の大腿トレーニング装置。
【請求項８】
前記第一基台は、第一本体、第一接続部及び第一回転軸を有し、
前記第二基台は、第二本体、第二接続部及び第二回転軸を有し、
前記第一スライドレールは、前記第一枢設部に固設されており、
前記第二スライドレールは、第二枢設部に固設されており、
前記第一枢設部は、前記第一回転軸によって、前記第一本体に枢設されており、前記第一本体に対し回転可能であり、前記第一スライドレールを折り畳み可能にし、
前記第二枢設部は、前記第二回転軸によって、前記第二本体に枢設されており、前記第二本体に対し回転可能であり、前記第二スライドレールを折り畳み可能にすることを特徴とする請求項１に記載の大腿トレーニング装置。
【請求項９】
前記第一基台は、第一収納空間を有し、
前記第二基台は、第二収納空間を有し、
前記第一収納空間及び前記第二収納空間は、それぞれに二つの係止溝が形成されており、
前記第一ペダルアセンブリ及び前記第二ペダルアセンブリは、それぞれの底部に滑車が設けられており、
二つの前記弾性リングは、それぞれの一端が前記第一収納空間及び前記第二収納空間内に配設され二つの前記位置制限溝に係止されており、それぞれの他端が前記第一ペダルアセンブリ及び前記第二ペダルアセンブリの滑車に嵌設されており、三角形状に形成されていることを特徴とする請求項８に記載の大腿トレーニング装置。
【考案の詳細な説明】
【技術分野】
【０００１】
本考案は、トレーニング装置に関し、特に腿部の筋肉をトレーニングする大腿トレーニング装置に関する。
【背景技術】
【０００２】
現在、身体各部位の筋肉をトレーニングするトレーニング装置は、市場に多く存在している。腿部の筋肉をトレーニングする器具の中で、ランニングマシン、足踏み運動器具及びエリプティカルトレーナー等が最も多い。しかしながら、これらの腿部の筋肉をトレーニングする器具は、腿部の前後部の筋肉だけをトレーニングするに好適である。
【０００３】
大腿の外側の筋肉をトレーニングする器具は、例えば、特許文献１及び特許文献２に開示されている。これらのトレーニング装置は、使用者が両足でペダルを踏みながらスライドレールを滑動することによって、大腿の外側の筋肉をトレーニングする。使用者は、固定の軌跡に沿って滑動するため、滑動軌跡を変化することができない。
【先行技術文献】
【特許文献】
【０００４】
【特許文献１】台湾実用新案登録第Ｍ３６３３１１号明細書
【特許文献２】台湾実用新案登録第Ｍ３８１４２４号明細書
【考案の概要】
【考案が解決しようとする課題】
【０００５】
本考案の主な目的は、異なる使用者の要求に応じて、運動軌跡を変化可能な腿部トレーニング装置を提供することにある。
【０００６】
本考案の他の目的は、大腿の外側の筋肉をトレーニング可能な腿部トレーニング装置を提供することにある。
【０００７】
本考案の他の目的は、折り畳むこと、便利に収納可能な腿部トレーニング装置を提供することにある。
【課題を解決するための手段】
【０００８】
上述の目的を達成するために、本考案の大腿トレーニング装置は、第一基台、第二基台、第一スライドレール、第二スライドレール、第一ペダルアセンブリ、第二ペダルアセンブリ、および、二つの弾性リングを備える。第一基台及び第二基台は、並列に配置されており、水平方向に開閉可能に互いに枢接されている。第一スライドレールは、第一基台に設けられており、第一基台とは反対側に水平に延びる軌道を有する。第二スライドレールは、第二基台に設けられており、第二基台とは反対側に水平に延びる軌道を有する。第一ペダルアセンブリは、第一スライドレールに設置されており、第一スライドレールに沿って滑動可能である。第二ペダルアセンブリは、第二スライドレールに設置されており、第二スライドレールに沿って滑動可能である。二つの弾性リングは、第一ペダルアセンブリと第一基台との間、及び、第二ペダルアセンブリと第二基台との間を連接し、第一ペダルアセンブリまたは第二ペダルアセンブリが第一スライドレールまたは第二スライドレールを第一基台または第二基台とは反対側に滑動する時、第一基台または第二基台側への回復力を生じることができる。
【図面の簡単な説明】
【０００９】
【図１】本考案の一実施形態による大腿トレーニング装置を示す斜視図である。
【図２】本考案の一実施形態による大腿トレーニング装置を示す分解斜視図である。
【図３】本考案の一実施形態による大腿トレーニング装置を示す下面図である。
【図４Ａ】本考案の一実施形態による大腿トレーニング装置のロック状態を示す部分断面図である。
【図４Ｂ】本考案の一実施形態による大腿トレーニング装置の開錠状態を示す部分断面図である。
【図５Ａ】本考案の一実施形態による大腿トレーニング装置のペダルアセンブリが内側へ回復する状態を示す平面図である。
【図５Ｂ】本考案の一実施形態による大腿トレーニング装置のペダルアセンブリが外側へ滑動する状態を示す平面図である。
【図６】本考案の一実施形態による大腿トレーニング装置の第一基台及び第二基台の開閉を示す平面図である。
【図７】本考案の一実施形態による大腿トレーニング装置の折り畳みを示す側面図である。
【考案を実施するための形態】
【００１０】
本考案の一実施形態による大腿トレーニング装置を図面に基づいて説明する。
図１〜図４に示すように、本考案の一実施形態による大腿トレーニング装置１は、第一基台１０、第二基台２０、第一スライドレール３０、第二スライドレール４０、第一ペダルアセンブリ５０、第二ペダルアセンブリ６０、および、二つの弾性リング７０を備える。
【００１１】
第一基台１０は、第一本体１１、第一枢接部１２及び第一回転軸１３を有する。第一本体１１は、第一収納空間１４、配置溝１５及び第一連接部１６を有する。第一枢接部１２は、第一回転軸１３が第一本体１１の第一収納空間１４の両側に枢接することによって、第一本体１１に対して、回転可能である。第一連接部１６は、第一収納溝１６１を有する。第一収納溝１６１は、中央に貫通孔１６２を有する。ねじ山（図示せず）は、貫通孔１６２の内壁に加工されている。位置決め溝１７は、配置溝１５の側壁に設置されている。また、第一本体１１は、頂面に配置溝に繋がる通り穴１８を有する。第一収納空間１４は、二つの係止溝１４１を有する。
【００１２】
第二基台２０は、第一基台１０と左右並列に設置され、第二本体２１、第二枢接部２２及び第二回転軸を有する。第二本体２０は、第二収納空間２４及び第一連接部１６に嵌合可能な第二連接部２５を有する。第二枢接部２２は、第二回転軸２３が第二収納空間１４の両側に枢接することによって、第一本体２１に対して、回転可能である。第二連接部２５は、頂面に第二収納溝２５１を有する。第二収納溝２５１は、中央に貫通孔２５２を有する。位置決め孔２６は、第二連接部２５に相対する第二本体２１の側面に設置されている。第二収納空間２４は、二つの係止溝２４１を有する。
【００１３】
第一スライドレール３０及び第二スライドレール４０は、それぞれ第一枢接部１２及び第二枢接部２２の側面に固接され、外側へ水平に延びる軌道を形成している。複数の当接部材３１は、第一スライドレール３０及び第二スライドレール４０の底部に設置されている。各当接部材３１は、ある程度の厚みを有する滑りとめマットである。二つの固定ブロック３２は、第一スライドレール３０及び第二スライドレール４０を支えるために、それぞれ第一スライドレール３０及び第二スライドレール４０の一端に設置されている。
【００１４】
第一ペダルアセンブリ５０及び第二ペダルアセンブリ６０は、それぞれ第一、第二支持座５１、６１、及び第一ペダル５２、第二ペダル６２を有する。第一ペダル５２及び第二ペダル６２は、それぞれ第一支持座及び第二支持座の上に設置されている。滑車５３、６３、二つの枢接部材５４、６４及び複数のローラー５５、６５は、それぞれ第一、第二支持座の底部に設置されている。各二つの枢接部材５４、６４は、それぞれ第一スライドレール３０及び第二スライドレール４０に枢設されている。第一ペダルアセンブリ５０及び第二ペダルアセンブリ６０は、複数のローラー５５、６５が第一スライドレール３０及び第二スライドレール４０の上に滑動することによって、動かされ、第一スライドレール３０及び第二スライドレール４０の上に往復移動可能である。第一スライドレール３０及び第二スライドレール４０の当接部材３１は、それぞれ第一ペダルアセンブリ５０及び第二ペダルアセンブリ６０の滑動範囲を制限する。
【００１５】
二つの弾性リング７０は、一方の端がそれぞれ第一収納空間及び第二収納空間に配設され第一収納空間１４及び第二収納空間２４の係止溝１４１、２４１に留められ、他方の端がそれぞれ第一支持座５１及び第二支持座６１の滑車５３、６３に嵌設されている。二つの弾性リング７０は、広げられ、三角形状に形成されている。よって、第一支持座５０及び第二支持座６０が第一スライドレール３０及び第二スライドレール４０の内側に位置し使用されなくても、二つの弾性リング７０は、脱落することができない。第一ペダルアセンブリ５０及び第二ペダルアセンブリ６０がそれぞれ第一スライドレール３０及び第二スライドレール４０の上に滑動する時、二つの弾性リングは、第一ペダルアセンブリ５０及び第二ペダルアセンブリ６０に対して、外側への抵抗力及び内側への回復力を生じることが可能である。
【００１６】
ロック装置８０は、ロック部材８１及びばね８２を備える。ロック部材は、本体８１１、本体８１１の上部に固接されているノブ部８１２、本体８１１から下側へ伸びる第一ボルト部８１３及び第二ボルト部８１４を有する。第一ボルト部８１３の外径は、第二ボルト部８１４の外径より大きい。ねじ山（図示せず）は、第二ボルト部８１４の外周に加工されている。ばね８２は、第一ボルト部８１３及び第二ボルト部８１４の外周に嵌設されている。ロック部材８１の本体８１１は、第二連接部２５の第二収納溝２５１に位置されている。第一ボルト部８１３及び第二ボルト部８１４は、第二連接部２５と第一連接部１６の貫通孔２５２、１６２に穿設されている。また、第一ボルト部８１３は、第二連接部２５の貫通孔２５２内に位置している。ばね８２の一部分が、第二連接部２５の貫通孔２５２内に位置する一方、一部分が第一連接部１６の第一収納溝１６１に位置し、また、第一収納溝１６１に当接している。第二ボルト部８１４の一部分は、第二連接部２５の貫通孔に留められている。使用者が下方にロック部材８１を締め、ロック部材８１の本体８１１の底面が第二連接部２５の第二収納溝２５１に当接する時、第一連接部１６は、第二連接部２５に緊密に結合可能である。使用者が上方にロック部材８１を緩める時、第一支持座１０及び第二支持座２０は、第一連接部１６及び第二連接部２５に対して、回転可能である。
【００１７】
位置決め装置９０は、位置決め部材９１及び前後に押圧可能なボタンから構成されている。位置決め部材９１は、留め具９１１及び連動部材９１２を有する。位置決め部材９１は、第一本体１１の配置溝１５に位置する。留め具９１１は、位置決め溝１７から通り出し、また、第二本体２１の位置決め孔２６を通り、第二本体２１の底部に設置されている。ボタン９２は、第一本体１１の通り穴１８の上に固設され、位置決め部材９１の連動部材９１２に連接されている。位置決め部材９１の留め具９１１は、ボタン９２を前後に押圧することによって、動かされ、上下に運動可能である。よって、留め具９１１は、第二本体２１に結合可能、あるいは第二本体２１から脱離可能である。
【００１８】
本考案の一実施形態による大腿トレーニング装置の構造の説明は、以上の通りである。次に本考案の一実施形態による大腿トレーニング装置の使用状態を説明する。
【００１９】
図５Ａ及び図５Ｂを参考する。使用者が両足で第一ペダル５２及び第二ペダル６２を踏む時、第一ペダルアセンブリ５０及び第二ペダルアセンブリ６０がそれぞれ第一スライドレール及び第二スライドレールに沿って、外側へ滑動する場合、二つの弾性リング７０は、第一ペダルアセンブリ５０及び第二ペダルアセンブリ６０に対して、外側への抵抗力及び内側への回復力を生じることが可能である。使用者は、多くの回数の往復滑動の運動訓練によって、大腿外側の筋肉を鍛錬可能である。
【００２０】
図４Ａ、図４Ｂ及び図７を参考する。使用者は、ボタン９２を押すによって、位置決め部材９１の留め具９１１を第二本体２１から脱離させる。次に使用者は、ロック装置８０のロック部材を緩めることによって、第一連接部１６及び第二連接部２５に対して、第一支持座１０及び第二支持座２０を水平に回転させ、０〜１８０の間の異なる角度開閉させることが可能である。よって、使用者は、異なる運動軌跡に応じて、最適な角度に調整した後、下方にロック部材８１を締めることによって、第一支持座１０及び第二支持座２０を回転させ、最適な角度に固定させることが可能である。
【００２１】
図７を参考する。大腿トレーニング装置が使用されない時、第一枢接部１２及び第二枢接部２２は、それぞれ第一回転軸に１３及び第二回転軸２３に対して回転することができるため、第一スライドレール及び第二スライドレールを動かし、下方へ折り畳ませることが可能である。よって、大腿トレーニング装置は、便利に収納されることができる。
【００２２】
以上に述べたように、本考案の大腿トレーニング装置は、第一支持座と第二支持座との間の角度を調整することによって、ペダルアセンブリの滑動方向を変化可能である。使用者は、個人の運動軌跡に応じて、最適な滑動角度を調整可能である。よって、大腿外側の筋肉を鍛錬する効果が達成されている。また、使用者は、大腿トレーニング装置を使用した後、折り畳みによって、便利に収納可能である。
【符号の説明】
【００２３】
１  大腿トレーニング装置、
１０  第一基台、
１１  第一本体、
１２  第一枢接部、
１３  第一回転軸、
１４  第一収納空間、
１４１  係止溝、
１５  放置溝、
１６  第一連接部、
１６１  第一収納溝、
１６２  貫通孔、
１７  位置決め溝、
１８  貫通穴、
２０  第二基台、
２１  第二本体、
２２  第二枢接部、
２３  第二回転軸、
２４  第二収納空間、
２４１  係止溝、
２５  第二連接部、
２５１  第二収納溝、
２５  貫通孔、
２６  位置決め孔、
３０  第一スライドレール、
３１  当接部材、
３２  固定ブロック、
４０  第二スライドレール、
５０  第一ペダルアセンブリ、
５１  第一支持座、
５２  第一ペダル、
５３  滑車、
５４  枢接部材、
５５  ローラー、
６０  第二ペダルアセンブリ、
６１  第二支持座、
６２  第二ペダル、
６３  滑車、
６４  枢接部材、
６５  ローラー、
７０  弾性リング、
８０  ロック装置、
８１  ロック部材、
８１１  本体、
８１２  ノブ部、
８１３  第一ボトル部、
８１４  第二ボトル部、
８２  ばね、
９０  位置決め装置、
９１  位置決め部材、
９１１  留め具、
９１２  連動部、
９２  ボタン。
【図１】
0003191485.tif 000003
【図２】
0003191485.tif 000004
【図３】
0003191485.tif 000005
【図４Ａ】
0003191485.tif 000006
【図４Ｂ】
0003191485.tif 000007
【図５Ａ】
0003191485.tif 000008
【図５Ｂ】
0003191485.tif 000009
【図６】
0003191485.tif 000010
【図７】
0003191485.tif 000011
【手続補正書】
【提出日】平成26年4月22日(2014.4.22)
【手続補正１】
【補正対象書類名】実用新案登録請求の範囲
【補正対象項目名】請求項２
【補正方法】変更
【補正の内容】
【請求項２】
前記第一基台は、一端に設置されている第一連接部を有し、
前記第二基台は、一端に設置されており、前記第一連接部と嵌合可能な第二連接部を有し、
前記第一連接部及び前記第二連接部を締緩可能であり、前記第一連接部及び前記第二連接部を中心として前記第一基台と前記第二基台との間の角度が０〜１８０度となるよう前記第一基台および前記第二基台を固定することが可能なロック装置、をさらに備えることを特徴とする請求項１に記載の大腿トレーニング装置。
【手続補正２】
【補正対象書類名】実用新案登録請求の範囲
【補正対象項目名】請求項８
【補正方法】変更
【補正の内容】
【請求項８】
前記第一基台は、第一本体、第一枢設部及び第一回転軸を有し、
前記第二基台は、第二本体、第二枢設部及び第二回転軸を有し、
前記第一スライドレールは、前記第一枢設部に固設されており、
前記第二スライドレールは、前記第二枢設部に固設されており、
前記第一枢設部は、前記第一回転軸によって、前記第一本体に枢設されており、前記第一本体に対し回転可能であり、前記第一スライドレールを折り畳み可能にし、
前記第二枢設部は、前記第二回転軸によって、前記第二本体に枢設されており、前記第二本体に対し回転可能であり、前記第二スライドレールを折り畳み可能にすることを特徴とする請求項１に記載の大腿トレーニング装置。
【手続補正３】
【補正対象書類名】実用新案登録請求の範囲
【補正対象項目名】請求項９
【補正方法】変更
【補正の内容】
【請求項９】
前記第一基台は、第一収納空間を有し、
前記第二基台は、第二収納空間を有し、
前記第一収納空間及び前記第二収納空間は、それぞれに二つの係止溝が形成されており、
前記第一ペダルアセンブリ及び前記第二ペダルアセンブリは、それぞれの底部に滑車が設けられており、
二つの前記弾性リングは、それぞれの一端が前記第一収納空間及び前記第二収納空間内に配設され二つの前記係止溝に係止されており、それぞれの他端が前記第一ペダルアセンブリ及び前記第二ペダルアセンブリの滑車に嵌設されており、三角形状に形成されていることを特徴とする請求項８に記載の大腿トレーニング装置。